(57)【要約】サーバ装置に格納されるコンテンツをストリーミングによって受信して再生する際に、低い帯域幅のネットワークでも遅滞なくコンテンツを再生するサーバ装置を提供する。サーバ装置に格納されるコンテンツは直接再生用の高ビットレートのコンテンツデータと、ストリーミング再生用の低ビットレートのコンテンツデータから構成され、直接再生時には高ビットレートのコンテンツデータを再生し、ストリーミング時には低ビットレートのコンテンツデータを送信する。
2004023812.tif 000002
【特許請求の範囲】
【請求項１】
ネットワークにより相互に接続されているサーバ装置と再生装置とから構成されるコンテンツ配信システムであって、
前記サーバ装置は、
自装置又は前記再生装置におけるコンテンツの再生を示す再生要求を受け付ける受付手段と、
前記再生要求により示されるコンテンツの再生が、自装置における再生か、又はネットワークにより接続された前記再生装置における再生かを判断する判断手段と、
自装置における再生であると判断する場合に、前記コンテンツを高品質により符号化した高品質データを取得し、前記再生装置における再生であると判断する場合に、前記コンテンツを標準品質により符号化した標準品質データを取得する取得手段と、
前記自装置における再生であると判断する場合に、取得した前記高品質データを再生する第１再生手段と、
前記再生装置における再生であると判断する場合に、取得した前記標準品質データをネットワークを介して送信する送信手段とを備え、
前記再生装置は、
前記標準品質データを受信する受信手段と、
受信した前記標準品質データをデコードし、再生する第２再生手段とを備える
ことを特徴とするコンテンツ配信システム。
【請求項２】
前記取得手段は、
前記コンテンツをそれぞれ標準品質及び高品質により符号化した標準品質データ及び高品質データを記憶している記憶媒体と、
自装置における再生であると判断する場合に、前記記憶媒体から前記高品質データを読み出し、前記再生装置における再生であると判断する場合に、前記記憶媒体から前記標準品質データを読み出す読出部と
を含むことを特徴とする請求の範囲１に記載のコンテンツ配信システム。
【請求項３】
前記記憶媒体に記憶されている前記標準品質データは、前記コンテンツを標準品質により符号化し、さらに、暗号化して生成されており、
前記第２再生手段は、前記標準品質データを復号し、デコードし、再生する
ことを特徴とする請求の範囲２に記載のコンテンツ配信システム。
【請求項４】
前記取得手段は、
前記コンテンツを高品質により符号化した高品質データを記憶している記憶媒体と、
自装置における再生であると判断する場合に、前記記憶媒体から前記高品質データを読み出し、前記再生装置における再生であると判断する場合に、前記記憶媒体から前記高品質データを読み出し、読み出した前記高品質データに基づいて、標準品質により符号化して標準品質データを生成する読出生成部と
を含むことを特徴とする請求の範囲１に記載のコンテンツ配信システム。
【請求項５】
ネットワークにより再生装置に接続されているサーバ装置であって、
自装置又は前記再生装置におけるコンテンツの再生を示す再生要求を受け付ける受付手段と、
前記再生要求により示されるコンテンツの再生が、自装置における再生か、又はネットワークにより接続された前記再生装置における再生かを判断する判断手段と、
自装置における再生であると判断する場合に、前記コンテンツを高品質により符号化した高品質データを取得し、前記再生装置における再生であると判断する場合に、前記コンテンツを標準品質により符号化した標準品質データを取得する取得手段と、
前記自装置における再生であると判断する場合に、取得した前記高品質データを再生する再生手段と、
前記再生装置における再生であると判断する場合に、取得した前記標準品質データをネットワークを介して送信する送信手段と
を備えることを特徴とするサーバ装置。
【請求項６】
前記取得手段は、
前記コンテンツをそれぞれ標準品質及び高品質により符号化した標準品質データ及び高品質データを記憶している記憶媒体と、
自装置における再生であると判断する場合に、前記記憶媒体から前記高品質データを読み出し、前記再生装置における再生であると判断する場合に、前記記憶媒体から前記標準品質データを読み出す読出部と
を含むことを特徴とする請求の範囲５に記載のサーバ装置。
【請求項７】
前記記憶媒体に記憶されている前記標準品質データは、前記コンテンツを標準品質により符号化し、さらに、暗号化して生成されており、
前記再生装置は、前記標準品質データを復号する
ことを特徴とする請求の範囲６に記載のサーバ装置。
【請求項８】
前記記憶媒体に記憶されている前記標準品質データは、暗号鍵を用いて暗号化されて生成されており、前記記憶媒体は、前記暗号鍵を記憶しており、
前記送信手段は、さらに、前記暗号鍵を送信する
前記再生装置は、さらに、前記暗号鍵を受信し、前記暗号鍵を用いて、前記標準品質データを復号する
ことを特徴とする請求の範囲７に記載のサーバ装置。
【請求項９】
前記取得手段は、
前記コンテンツを高品質により符号化した高品質データを記憶している記憶媒体と、
自装置における再生であると判断する場合に、前記記憶媒体から前記高品質データを読み出し、前記再生装置における再生であると判断する場合に、前記記憶媒体から前記高品質データを読み出し、読み出した前記高品質データに基づいて、標準品質により符号化した標準品質データを生成する読出生成部と
を含むことを特徴とする請求の範囲５に記載のサーバ装置。
【請求項１０】
前記取得手段は、
前記コンテンツを高品質により符号化した高品質データと、前記高品質データの符号化に係る圧縮情報とを記憶している記憶媒体と、
自装置における再生であると判断する場合に、前記記憶媒体から前記高品質データを読み出し、前記再生装置における再生であると判断する場合に、前記記憶媒体から前記高品質データ及び前記圧縮情報を読み出し、読み出した前記高品質データに基づいて、前記圧縮情報を用いて、標準品質により符号化した標準品質データを生成する読出生成部と
を含むことを特徴とする請求の範囲５に記載のサーバ装置。
【請求項１１】
前記読出生成部は、前記高品質データから前記コンテンツを生成し、生成したコンテンツを標準品質により符号化して標準品質データを生成する
ことを特徴とする請求の範囲１０に記載のサーバ装置。
【請求項１２】
前記コンテンツは、複数のフレーム画像から構成され、前記複数のフレーム画像は、複数のグループに分類され、
前記記憶媒体に記憶されている前記高品質データは、前記グループと同数の部分高品質データから構成され、各部分高品質データは、対応するグループに含まれるフレーム画像を符号化して生成したものであり、前記記憶媒体に記憶されている前記圧縮情報は、グループ毎に、当該部分高品質データのデータ量及びフレーム数を含み、
前記読出生成部は、前記圧縮情報に含まれるグループ毎のデータ量及びフレーム数を用いて、前記標準品質データを生成する
ことを特徴とする請求の範囲１１に記載のサーバ装置。
【請求項１３】
前記読出生成部は、前記高品質データのグループ構成と、前記標準品質データのグループ構成が一致するように、前記標準品質データを生成する
ことを特徴とする請求の範囲１２に記載のサーバ装置。
【請求項１４】
前記読出生成部は、前記高品質データから前記コンテンツを生成し、生成したコンテンツを標準品質により符号化し、暗号化して標準品質データを生成する
ことを特徴とする請求の範囲１０に記載のサーバ装置。
【請求項１５】
ネットワークにより再生装置に接続されているサーバ装置において用いられるコンテンツ配信方法であって、
前記サーバ装置又は前記再生装置におけるコンテンツの再生を示す再生要求を受け付ける受付ステップと、
前記再生要求により示されるコンテンツの再生が、前記サーバ装置における再生か、又はネットワークにより接続された前記再生装置における再生かを判断する判断ステップと、
前記サーバ装置における再生であると判断する場合に、前記コンテンツを高品質により符号化した高品質データを取得し、前記再生装置における再生であると判断する場合に、前記コンテンツを標準品質により符号化した標準品質データを取得する取得ステップと、
前記前記サーバ装置における再生であると判断する場合に、取得した前記高品質データを再生する再生ステップと、
前記再生装置における再生であると判断する場合に、取得した前記標準品質データをネットワークを介して送信する送信ステップと
を含むことを特徴とするコンテンツ配信方法。
【請求項１６】
ネットワークにより再生装置に接続されているサーバ装置において用いられるコンテンツ配信プログラムであって、
前記サーバ装置又は前記再生装置におけるコンテンツの再生を示す再生要求を受け付ける受付ステップと、
前記再生要求により示されるコンテンツの再生が、前記サーバ装置における再生か、又はネットワークにより接続された前記再生装置における再生かを判断する判断ステップと、
前記サーバ装置における再生であると判断する場合に、前記コンテンツを高品質により符号化した高品質データを取得し、前記再生装置における再生であると判断する場合に、前記コンテンツを標準品質により符号化した標準品質データを取得する取得ステップと、
前記前記サーバ装置における再生であると判断する場合に、取得した前記高品質データを再生する再生ステップと、
前記再生装置における再生であると判断する場合に、取得した前記標準品質データをネットワークを介して送信する送信ステップと
を含むことを特徴とするコンテンツ配信プログラム。
【請求項１７】
前記コンテンツ配信プログラムは、
コンピュータ読み取り可能なプログラム記録媒体に記録されている
ことを特徴とする請求の範囲１６に記載のコンテンツ配信プログラム。
【発明の詳細な説明】
【技術分野】  本発明は、記録媒体に格納されたコンテンツを配信し、再生する技術に関する。
【背景技術】  ＣＤ、ＤＶＤ（Ｄｉｇｉｔａｌ  Ｖｅｒｓａｔｉｌｅ  Ｄｉｓｃ）などに代表される光ディスクは既に一般的に利用されるものとなっており、更なる大容量を目指して次世代ＤＶＤに関する技術が多数公表されている。
これらの次世代ＤＶＤでは高解像度の映像コンテンツを記録すべくＤＶＤの数倍にも及ぶ大容量を目指している。こうした記録媒体にＮＴＳＣなどの通常解像度の映像コンテンツをＭＰＥＧ２などの圧縮方法で格納する場合には従来のＤＶＤと比較して非常に長時間のコンテンツを格納することが可能となる。
また、近年ストリーミングと呼ばれる技術も一般的になりつつある（例えば、特許文献１参照）。ストリーミングとは、ネットワークを通じて映像や音声などのコンテンツを視聴する際に、コンテシッを受信しながら同時に再生を行う技術である。このような技術を実現するシステムは、一般的にはサーバ・クライアント型により構築され、サーバ側に格納されたコンテンツをクライアント側からの要求に従ってストリーミング技術によって送信し、クライアントは受信したコンテンツを再生する。
特にこのストリーミング技術を家庭内での利用に適用しようとする試みが最近行われている。このような試みでは、家庭内にホーム・サーバと呼ばれるサーバ機器を設置し、サーバ機器に格納されたコンテンツを家庭内に存在する他のクライアント機器にストリーミングによって送信する。コンテンツを受信したクライアント機器では、このコンテンツを再生する。
ホーム・サーバ機器に格納されるコンテンツを放送により配信する形態や、光ディスクなどの記録媒体に格納して配布する形態が一般的である。放送や記録媒体によって配信・配布されるコンテンツは、その高帯域性や大容量性を活かして、可能な限り高いビットレートでエンコードされる。一般的にはエンコード方法としてＭＰＥＧ２を用い、ＮＴＳＣなどの通常解像度のコンテンツは、４〜６Ｍｂｐｓのビットレートで圧縮される。また、高解像度のコンテンツは、２０Ｍｂｐｓ前後のビットレートで圧縮される。可能な限り高いビットレートを用いることによって、圧縮される画像の画質を高くすることが可能となる。
また、非特許文献１によると、ストリーミングサーバは、帯域幅に応じて配信対象コンテンツを選択する機能を実装している。
ところで、家庭内で用いられるネットワークとしては無線ＬＡＮや電灯線ネットワークなどが有望視されているが、いずれもＭＰＥＧ２で圧縮された映像コンテンツを遅滞なく送信するのに十分な帯域幅ではない。例えば、ＩＥＥＥ８０２．１１ｂにより規定される無線ＬＡＮにおける実効帯域は、３〜５Ｍｂｐｓであり、ＭＰＥＧ２により圧縮されたコンテンツを送信するのに十分でないという問題点がある。
（特許文献１）  特開２００２−８４３３９号公報
【非特許文献１】ｈｔｔｐ：／／ｓｅｒｖｉｃｅ．ｊｐ．ｒｅａｌ．ｃｏｍ／ｈｅｌｐ／ｆａｑ／ｓｕｒｅｓｔｒｅａｍ．ｈｔｍｌ
【発明の開示】
上記の問題点を解決するために、本発明は、ネットワークに接続された機器に対して適切なコンテンツを送信することができるコンテンツ配信システム、サーバ装置、再生装置、コンテンツ配信方法及びコンテンッ配信プログラムを提供することを目的とする。
上記目的を達成するために、本発明は、ネットワークにより相互に接続されているサーバ装置と再生装置とから構成されるコンテンツ配信システムである。
前記サーバ装置は、自装置又は前記再生装置におけるコンテンツの再生を示す再生要求を受け付ける受付手段と、前記再生要求により示されるコンテンツの再生が、自装置における再生か、又はネットワークにより接続された前記再生装置における再生かを判断する判断手段と、自装置における再生であると判断する場合に、前記コンテンツを高品質により符号化した高品質データを取得し、前記再生装置における再生であると判断する場合に、前記コンテンツを標準品質により符号化した標準品質データを取得する取得手段と、前記自装置における再生であると判断する場合に、取得した前記高品質データを再生する第１再生手段と、前記再生装置における再生であると判断する場合に、取得した前記標準品質データをネットワークを介して送信する送信手段とを備える。
前記再生装置は、前記標準品質データを受信する受信手段と、受信した前記標準品質データをデコードし、再生する第２再生手段とを備える。
【図面の簡単な説明】  図１は、コンテンツ再生システムの構成を示す構成図である。
図２は、管理サーバ装置１００の構成を示すブロック図である。
図３は、ＤＶＤ２７０に格納されているデータの構成を示す。
図４は、目次ファイル２７３のデータ構造を示す。
図５は、圧縮情報ファイル２７７のデータ構造を示す。
図６は、ホームサーバ装置２００の構成を示すブロック図である。
図７は、パーソナルコンピュータ３００の構成を示すブロック図である。
図８は、携帯電話４００の構成を示すブロック図である。
図９は、ホームサーバ装置２００によるコンテンツの再生の動作を示すフローチャートである。
図１０は、パーソナルコンピュータ３００によるコンテンツの再生の動作を示すフローチャートである。
図１１は、携帯電話４００によるコンテンツの再生の動作を示すフローチャートである。図１２へ続く。
図１２は、携帯電話４００によるコンテンツの再生の動作を示すフローチャートである。図１３へ続く。
図１３は、携帯電話４００によるコンテンツの再生の動作を示すフローチャートである。図１２から続く。
【発明を実施するための最良の形態】  １．コンテンツ再生システム１
本発明に係る１個の実施の形態としてのコンテンツ再生システム１について説明する。
１．１  コンテンツ再生システム１の構成
コンテンツ再生システム１は、図１に示すように、管理サーバ装置１００、ホームサーバ装置２００、モニタ２５０、無線ＬＡＮ中継装置１３、パーソナルコンピュータ３００及び携帯電話４００から構成されている。
管理サーバ装置１００及びホームサーバ装置２００は、インターネット１０に接続されており、携帯電話４００は、無線基地局１２及び携帯電話網１１を介して、インターネット１０に接続されている。また、ホームサーバ装置２００及びパーソナルコンピュータ３００は、無線ＬＡＮ中継装置１３を介して、相互に接続されており、ホームサーバ装置２００とパーソナルコンピュータ３００との間の通信において、通信プロトコルＴＣＰ／ＩＰが利用される。
ホームサーバ装置２００、モニタ２５０、無線ＬＡＮ中継装置１３及びパーソナルコンピュータ３００は、これらの装置の利用者の自宅２０内に設置されている。
利用者は、コンテンツファイル及びその他のファイルを記録しているＤＶＤ２７０をホームサーバ装置２００に装着する。コンテンツファイルは、映画などの映像情報及び音声情報から構成されるコンテンツがエンコード（圧縮符号化）されて生成されたものである。ホームサーバ装置２００は、利用者の操作により、ＤＶＤ２７０からコンテンツファイルを読み出し、読み出したコンテンツファイルを復号・デコードしてコンテンツを生成し、生成したコンテンツを映像信号及び音声信号に変換し、モニタ２５０は、映像を表示し、音声を出力する。
また、パーソナルコンピュータ３００は、利用者の操作により、無線ＬＡＮ中継装置１３を介してホームサーバ装置２００に装着されたＤＶＤ２７０から、通信経路に適したコンテンツファイルをストリーミングにより取得し、取得したコンテンツファイルをデコードしてコンテンツを生成し、生成したコンテンツを映像信号及び音声信号に変換し、映像を表示し、音声を出力する。
さらに、携帯電話４００は、利用者の操作により、無線基地局１２、携帯電話網１１及びインターネット１０を介して、ホームサーバ装置２００に対してコンテンツの要求を送信する。ホームサーバ装置２００は、装着されたＤＶＤ２７０から、通信経路に適したコンテンツを生成し、生成したコンテンツをエンコードし、さらに暗号鍵を用いて暗号化してコンテンツファイルを生成し、インターネット１０、携帯電話網１１及び無線基地局１２を介して、コンテンツファイルをストリーミングにより携帯電話４００へ送信する。携帯電話４００は、ホームサーバ装置２００からコンテンツファイルをストリーミングにより受信し、管理サーバ装置１００から、インターネット１０、携帯電話網１１及び無線基地局１２を介して、暗号鍵を受信し、受信した暗号鍵を用いて、コンテンツファイルを復号し、さらにデコードしてコンテンツを生成し、生成したコンテンツを映像信号及び音声信号に変換し、映像を表示し音声を出力する。
１．２  管理サーバ装置１００
管理サーバ装置１００は、図２に示すように、情報記憶部１０１、表示部１０２、入力部１０３、制御部１０４、通信部１０５及び認証部１０６から構成されている。
管理サーバ装置１００は、具体的には、マイクロプロセッサ、ＲＯＭ、ＲＡＭ、ハードディスクユニット、ＬＡＮ接続ユニット、ディスプレイユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、管理サーバ装置１００は、その一部の機能を達成する。
（１）情報記憶部１０１
情報記憶部１０１は、図２に示すように、コンテンツ特徴情報テーブル１２１を予め記憶している。
コンテンツ特徴情報テーブル１２１は、コンテンツ番号、コンテンツ名及び暗号鍵から構成されるコンテンツ特徴情報を複数個含む。
コンテンツ番号は、コンテンツを一意に識別する整理番号である。
コンテンツ名は、コンテンツを識別する名称である。
暗号鍵は、コンテンツを暗号化する際に用いられる鍵である。
（２）認証部１０６
認証部１０６は、制御部１０４と携帯電話４００との間の通信に先立って、通信部１０５、インターネット１０、携帯電話網１１及び無線基地局１２を介して、携帯電話４００との間で相互の機器認証を行う。なお、相互の機器認証については、公知であるので、ここでは、説明を省略する。
機器認証に成功すると、認証部１０６は、制御部１０４に対して、携帯電話４００との間の通信を許可する。機器認証に失敗すると、制御部１０４に対して、携帯電話４００との間の通信を禁止する。
（３）制御部１０４
制御部１０４は、認証部１０６による携帯電話４００との間の相互の機器認証が成功した後に、携帯電話４００から無線基地局１２、携帯電話網１１、インターネット１０及び通信部１０５を介して、利用者の所望するコンテンツを識別するコンテンツ番号を受信する。次に、受信したコンテンツ番号に対応する暗号鍵をコンテンツ特徴情報テーブル１２１から読み出し、読み出した暗号鍵を、通信部１０５、インターネット１０、携帯電話網１１及び無線基地局１２を介して、携帯電話４００へ送信する。
（４）表示部１０２及び入力部１０３
表示部１０２は、制御部１０４の制御の基に、各種情報を表示する。
入力部１０３は、管理サーバ装置１００の操作者からデータ又は指示の入力を受け付け、入力を受け付けたデータ又は指示を制御部１０４へ出力する。
（５）通信部１０５
通信部１０５は、認証部１０６と外部の装置との間で、又は制御部１０４と外部の装置との間で、情報の送受信を行う。ここで、外部の装置は、携帯電話４００である。
１．３  ＤＶＤ２７０
ＤＶＤ２７０は、大容量の情報の格納が可能な光ディスク媒体である。ＤＶＤ２７０に格納されているデータの構造を図３に示す。
この図に示すように、ＤＶＤ２７０は、ツリー状のファイル管理構造を採用するファイルシステムによりファイルを格納する。ＤＶＤ２７０には、ルートディレクトリ２７１の下にコンテンツ格納用のディレクトリであるコンテンツディレクトリ２７２が存在する。コンテンツディレクトリ２７２の下には、目次ファイル２７３、コンテンツファイル２７４、・・・、２７６、及び圧縮情報ファイル２７７、２７８、・・・が格納されている。
ＤＶＤ２７０には、ただ一つの目次ファイルが格納されており、コンテンツの数と同数のコンテンツファイルが格納されている。
（目次ファイル２７３）
目次ファイル２７３は、図４に示すように、複数の目次情報を含み、各目次情報は、ＤＶＤ２７０に格納されているコンテンツに対応している。
各目次情報は、コンテンツ番号、コンテンツ名、ファイル名１、圧縮方式１、ビットレート１、ファイル名２、圧縮方式２、ビットレート２、暗号鍵及び圧縮情報ファイル名から構成されている。
コンテンツ番号は、コンテンツを一意に識別する整理番号である。再生時にユーザからの入力を受け付けるためなどに使用する。
コンテンツ名は、コンテンツを識別するための名称である。ユーザに対してコンテンツの一覧を表示する際などに使用する。
ファイル名１は、コンテンツ番号により識別されるコンテンツが、圧縮方式１及びビットレート１によりエンコードされて生成されたコンテンツファイルを識別するファイル名である。ファイル名１により識別されるコンテンツファイルが、ＤＶＤ２７０のコンテンツディレクトリ２７２の下に存在する。
圧縮方式１は、コンテンツの圧縮方式を示す。具体的には、「ＭＰＥＧ２」、「ＭＰＥＧ４」などである。
ビットレート１は、コンテンツのビットレートを示す。
ファイル名２は、コンテンツ番号により識別されるコンテンツが、圧縮方式２及びビットレート２によりエンコードされて生成されたコンテンツファイルを識別するファイル名である。ファイル名１により識別されるコンテンツファイルに加えて、圧縮方式２及びビットレート２で同一のコンテンツがエンコードされて生成されたコンテンツファイルがＤＶＤ２７０に格納されている場合に、本項目が記述される。このときファイル名２により識別されるコンテンツファイルが、ＤＶＤ２７０のコンテンツディレクトリ２７２の下に存在する。該当するコンテンツファイルが存在しない場合には、本項目には何も記述されない。
圧縮方式２は、コンテンツの圧縮方式を示す。具体的には、「ＭＰＥＧ２」、「ＭＰＥＧ４」などである。圧縮方式２が用いられない場合には、本項目には、何も記述されない。
ビットレート２は、コンテンツのビットレートを示す。ビットレート２が用いられない場合には、本項目には、何も記述されない。
暗号鍵は、ファイル名１により識別されるコンテンツファイルが、暗号化されて生成される場合に、使用される鍵である。暗号鍵が使用されない場合には、本項目には何も記述されない。
圧縮情報ファイル名は、圧縮情報ファイルを識別するファイル名である。該当する圧縮情報ファイルが存在しない場合には、本項目には何も記述されない。
目次ファイル２７３に含まれる目次情報のうち暗号鍵が記述されているものから、コンテンツ番号、コンテンツ名及び暗号鍵を抽出して得られる各組は、管理サーバ装置１００の情報記憶部１０１に記憶されているコンテンツ特徴情報に対応している。
（コンテンツファイル２７４、２７８、・・・）
コンテンツファイル２７４、２７８、・・・の数は、目次ファイル２７３の全ての目次情報に記述されているファイル名１及びファイル名２の数と同数であり、コンテンツファイル２７４、２７８、・・・は、目次ファイル２７３の全ての目次情報に記述されているファイル名１及びファイル名２により識別される。
コンテンツファイル２７４は、目次ファイル２７３内のコンテンツ番号「１」を含む目次情報に対応している。コンテンツファイル２７４は、ファイル名１「Ｎｅｗｓ７．ｍｐｇ」により識別され、映像情報及び音声情報から構成されるコンテンツ「７時のニュース」が、圧縮方式１「ＭＰＥＧ２」及びビットレート１「６Ｍｂｐｓ」により、エンコード（圧縮符号化）されて生成された圧縮符号データを含んで構成される。
また、コンテンツファイル２７５は、目次ファイル２７３内のコンテンツ番号「１」を含む目次情報に対応している。コンテンツファイル２７５は、ファイル名２「Ｎｅｗｓ７．ｍｐ４」により識別され、映像情報及び音声情報から構成されるコンテンツ「７時のニュース」が、圧縮方式１「ＭＰＥＧ４」及びビットレート１「１．５Ｍｂｐｓ」により、エンコードされて生成された圧縮符号データを含んで構成される。
また、コンテンツファイル２７６は、目次ファイル２７３内のコンテンツ番号「２」を含む目次情報に対応している。コンテンツファイル２７６は、ファイル名１「Ｗｅａｔｈｅｒ７．ｍｐｇ」により識別され、映像情報及び音声情報から構成されるコンテンツ「７時の天気予報」が、圧縮方式１「ＭＰＥＧ２」及びビットレート１「６Ｍｂｐｓ」により、エンコードされて生成された圧縮符号データを含んで構成される。
また、他のコンテンツファイルは、目次ファイル２７３内のコンテンツ番号「５」を含む目次情報に対応している。このコンテンツファイルは、ファイル名１「Ｎｅｗｓ９．ｍｐｇ」により識別され、映像情報及び音声情報から構成されるコンテンツ「９時のニュース」が、暗号鍵「ｑｗｅｒｔｙ」  を用いて、暗号化アルゴリズムＤＥＳ（Ｄａｔａ  Ｅｎｃｒｙｐｔｉｏｎ  Ｓｔａｎｄａｒｄ）により、暗号化され、さらに、圧縮方式１「ＭＰＥＧ２」及びビットレート１「６Ｍｂｐｓ」により、エンコード（圧縮符号化）されて生成された圧縮符号データを含んで構成される。
その他のコンテンツファイルについても同様であるので、説明は省略する。
（圧縮情報ファイル２７７、２７８、・・・）
圧縮情報ファイル２７７、２７８、・・・は、それぞれ、目次ファイル２７３内のコンテンツ番号「５」、「６」、「７」、「８」及び「９」を含む目次情報に対応している。
圧縮情報ファイル２７７は、図５に示すように、複数の圧縮情報から構成されている。ＭＰＥＧ２などの圧縮方式では、複数枚のピクチャ（フレーム画像）を１単位として圧縮する。この単位をＧＯＰ（Ｇｒｏｕｐ  Ｏｆ  Ｐｉｃｔｕｒｅｓ）と呼ぶ。各圧縮情報は、ＧＯＰに対応しており、ＧＯＰ番号、ピクチャ数、バイト数、開始アドレス及び終了アドレスから構成されている。
ＧＯＰ番号は、ＧＯＰを識別する番号であり、ＧＯＰに対して１始まりで割り当てられる番号である。
ピクチャ数は、ＧＯＰ番号で示されるＧＯＰに含まれるピクチャの数を示す。
バイト数は、ＧＯＰ番号で示される圧縮後のＧＯＰに含まれるピクチャの総バイト数を示す。
開始アドレスは、ＧＯＰ番号で示される圧縮後のＧＯＰの先頭アドレスを示す。アドレスはファイル先頭からの相対位置で示される。
終了アドレスは、ＧＯＰ番号で示される圧縮後のＧＯＰの末尾アドレスを示す。アドレスはファイル先頭からの相対位置で示される。
その他の圧縮情報ファイルについても同様であるので、説明を省略する。
１．４  ホームサーバ装置２００
ホームサーバ装置２００は、図６に示すように、ドライブ部２０１、入力受付部２０２、表示部２０３、制御部２０４、復号デコード部２０５、ＡＶ生成部２０６、エンコード部２０７、認証部２０８及び通信部２０９から構成されている。また、スピーカを内蔵するモニタ２５０が接続されており、リモコン２６０から出力される指示情報を受け付ける。
ホームサーバ装置２００は、具体的には、マイクロプロセッサ、ＲＯＭ、ＲＡＭ、ハードディスクユニットなどを含んで構成されるコンピュータシステムである。前記ＲＡＭには、コンピュータプログラムが記憶されている。前記マイクロプロセッサが、前記コンピュータプログラムに従って動作することにより、ホームサーバ装置２００は、その一部の機能を達成する。
（１）リモコン２６０、入力受付部２０２及び表示部２０３
リモコン２６０は、表面にテンキー、決定キー、選択キーなどを備え、利用者の操作により、各キーに応じた指示情報を生成し、生成した指示情報を赤外線に乗せて、出力する。
入力受付部２０２は、リモコン２６０により出力される赤外線を受け取り、受け取った赤外線から前記指示情報を抽出し、抽出した指示情報を制御部２０４へ出力する。
表示部２０３は、制御部２０４の指示により各種情報を表示する。
（２）認証部２０８
認証部２０８は、制御部２０４と外部の装置との間の通信に先立って、外部の装置との間で相互の機器認証を行う。なお、相互の機器認証については、公知であるので、ここでは、説明を省略する。
機器認証に成功すると、認証部２０８は、制御部２０４に対して、外部の装置との間の通信を許可する。機器認証に失敗すると、制御部２０４に対して、外部の装置との間の通信を禁止する。
ここで、前記外部の装置とは、パーソナルコンピュータ３００、又は携帯電話４００である。
（３）通信部２０９
通信部２０９は、認証部２０８と外部の装置との間で、又は制御部２０４と外部の装置との間で、情報の送受信を行う。
ここで、前記外部の装置とは、パーソナルコンピュータ３００、又は携帯電話４００である。
（４）ドライブ部２０１
ドライブ部２０１は、制御部２０４の制御の基に、ＤＶＤ２７０から情報を読み出し、読み出した情報を制御部２０４又は復号デコード部２０５へ出力する。
（５）制御部２０４
制御部２０４は、リモコン２６０から、入力受付部２０２を介して、ＤＶＤ２７０に格納されているコンテンツの一覧を表示する旨の要求（第１の要求）を受け取る。また、制御部２０４は、パーソナルコンピュータ３００から、無線ＬＡＮ中継装置１３及び通信部２０９を介して、ＤＶＤ２７０に格納されている目次ファイルを送信する旨の要求（第２の要求）を受け取る。また、制御部２０４は、携帯電話４００から、無線基地局１２、携帯電話網１１、インターネット１０及び通信部２０９を介して、ＤＶＤ２７０に格納されている目次ファイルを送信する旨の要求を受け取る（第３の要求）。
制御部２０４は、入力受付部２０２から受け取った要求を前記第１の要求と判断する。通信部２０９から受け取った要求を前記第２又は第３の要求と判断する。さらに、第２及び第３の要求は、要求元を示す識別子、又は要求元を示すネットワーク上のアドレスを含んでおり、制御部２０４は、これらの要求に含まれる識別子又はアドレスを用いて、受け取った要求が第２の要求であるか、又は第３の要求であるかを判断する。
以下において、上記のようにして、第１、第２、又は第３の要求が判別されたものとして、これらの場合に分けて説明する。
（ホームサーバ装置２００によるコンテンツの再生時の処理）
制御部２０４は、リモコン２６０から、入力受付部２０２を介して、ＤＶＤ２７０に格納されているコンテンツの一覧を表示する旨の要求を受け取る。前記要求を受け取ると、ＤＶＤ２７０から、ドライブ部２０１を介して、目次ファイル２７３を読み出し、読み出した目次ファイル２７３を構成する各目次情報から、全てのコンテンツ番号及びコンテンツ名を抽出し、抽出したコンテンツ番号及びコンテンツ名から構成されるコンテンツ一覧を生成し、生成したコンテンツ一覧を表示部２０３へ出力し、コンテンツ一覧を表示するように、表示部２０３を制御する。
次に、制御部２０４は、リモコン２６０から、入力受付部２０２を介して、コンテンツ一覧内のコンテンツ番号を受け取る。
さらに、制御部２０４は、受け取ったコンテンツ番号に対応付けて暗号鍵が、目次ファイル２７３に格納されているか否かを判断する。暗号鍵が格納されていると判断する場合には、当該暗号鍵を読み出し、さらに、目次ファイル２７３において、受け取ったコンテンツ番号に対応するファイル名１を読み出し、暗号鍵及びファイル名１を復号デコード部２０５へ出力する。
暗号鍵が格納されていないと判断する場合には、目次ファイル２７３において、受け取ったコンテンツ番号に対応するファイル名１を読み出し、読み出したファイル名１を復号デコード部２０５へ出力する。
（パーソナルコンピュータ３００によるコンテンツの再生時の処理）
制御部２０４は、パーソナルコンピュータ３００から、無線ＬＡＮ中継装置１３及び通信部２０９を介して、ＤＶＤ２７０に格納されている目次ファイルを送信する旨の要求を受け取る。前記要求を受け取ると、ＤＶＤ２７０から、ドライブ部２０１を介して、目次ファイル２７３を読み出し、通信部２０９及び無線ＬＡＮ中継装置１３を介して、読み出した目次ファイルをパーソナルコンピュータ３００へ送信する。
次に、制御部２０４は、パーソナルコンピュータ３００から、無線ＬＡＮ中継装置１３及び通信部２０９を介して、利用者が所望するコンテンツファイルを識別するファイル名を受け取る。
さらに、制御部２０４は、ＤＶＤ２７０から、ドライブ部２０１を介して、受け取ったファイル名により識別されるコンテンツファイルを読み出し、読み出したコンテンツファイルを、通信部２０９及び無線ＬＡＮ中継装置１３を介して、ストリーミングにより、パーソナルコンピュータ３００へ出力する。
（携帯電話４００によるコンテンツの再生時の処理）
制御部２０４は、携帯電話４００から、無線基地局１２、携帯電話網１１、インターネット１０及び通信部２０９を介して、ＤＶＤ２７０に格納されている目次ファイルを送信する旨の要求を受け取る。前記要求を受け取ると、ＤＶＤ２７０から、ドライブ部２０１を介して、目次ファイル２７３を読み出し、読み出した目次ファイルに含まれる目次情報から、暗号鍵を含むものを抽出し、抽出した目次情報を新たに目次ファイルとして、通信部２０９、インターネット１０、携帯電話網１１及び無線基地局１２を介して、携帯電話４００へ送信する。
また、制御部２０４は、携帯電話４００から、無線基地局１２、携帯電話網１１、インターネット１０及び通信部２０９を介して、利用者の所望するコンテンツファイルを識別するファイル名１及び機器タイプを受け取る。ここで、機器タイプは、携帯電話４００が、携帯電話網を介して無線通信を行う携帯電話であることを示しており、機器タイプに応じて、ネットワークの帯域が定められている。次に、受け取った機器タイプを用いて、ネットワークの帯域判定を行う。ここでは、例えば、機器タイプは、携帯電話を示しているので、使用する携帯電話網の帯域として３Ｍｂｐｓが限界であると判定する。この帯域を限界帯域と呼ぶこととする。
次に、制御部２０４は、受け取ったファイル名１を含む目次情報を目次ファイル２７３から読み出し、読み出した目次情報からビットレート１を抽出する。
次に、制御部２０４は、抽出したビットレート１と限界帯域とを比較する。ここで、ビットレート１が限界帯域を超えない場合には、ファイル名１により識別されるコンテンツファイルを読み出し、読み出したコンテンツファイルを、通信部２０９、インターネット１０、携帯電話網１１及び無線基地局１２を介して、ストリーミングにより、携帯電話４００へ送信する。
ここで、ビットレート１が限界帯域を超える場合には、制御部２０４は、受け取ったファイル名１及び読み出した目次情報に含まれる暗号鍵及び圧縮情報ファイル名を復号デコード部２０５へ出力する。また、エンコード部２０７へ、読み出した目次情報に含まれる暗号鍵及び圧縮情報ファイル名を出力する。
（６）復号デコード部２０５
（ホームサーバ装置２００によるコンテンツの再生時の処理）
復号デコード部２０５は、制御部２０４から暗号鍵及びファイル名１、又はファイル名１を受け取る。
暗号鍵及びファイル名１を受け取った場合には、受け取ったファイル名１により識別されるコンテンツファイルをＤＶＤ２７０から読み出し、受け取った前記暗号鍵を用いて、読み出したコンテンツファイルを復号して復号コンテンツを生成する。さらに、生成した復号コンテンツをデコードして、コンテンツを生成し、生成したコンテンツをＡＶ生成部２０６へ出力する。
ファイル名１のみを受け取った場合には、つまり、暗号鍵を受け取らなかった場合には、読み出したファイル名１により識別されるコンテンツファイルをＤＶＤ２７０から読み出し、読み出したコンテンツファイルをデコードして、コンテンツを生成し、生成したコンテンツをＡＶ生成部２０６へ出力する。
（携帯電話４００によるコンテンツの再生時の処理）
復号デコード部２０５は、制御部２０４から圧縮情報ファイル名、暗号鍵及びファイル名１を受け取る。次に、受け取ったファイル名１により識別されるコンテンツファイルを読み出し、受け取った圧縮情報ファイル名により識別される圧縮情報ファイルをＤＶＤ２７０から読み出し、受け取った暗号鍵を用いて、読み出したコンテンツファイルを復号して復号コンテンツを生成する。
次に、復号デコード部２０５は、圧縮情報ファイルを用いて、生成したコンテンツをデコードして、コンテンツを生成し、生成したコンテンツをエンコード部２０７へ出力する。具体的には、復号デコード部２０５は、生成した復号コンテンツについて、（ａ）圧縮情報ファイルに含まれている開始アドレス及び終了アドレスにより圧縮後のＧＯＰを特定し、（ｂ）特定した圧縮後のＧＯＰについて、例えばＭＰＥＧ２によるデコードを施して、複数枚のピクチャを生成し、（ｃ）生成した複数枚のピクチャをエンコード部２０７へ出力する。復号デコード部２０５は、上記の（ａ）〜（ｃ）を、復号コンテンツに含まれている各圧縮後のＧＯＰについて繰り返す。
（７）エンコード部２０７
エンコード部２０７は、復号デコード部２０５からコンテンツを受け取り、制御部２０４から圧縮情報ファイル名及び暗号鍵を受け取る。次に、受け取った圧縮情報ファイル名により識別される圧縮情報ファイルをＤＶＤ２７０から読み出す。
次に、エンコード部２０７は、読み出した圧縮情報ファイルに含まれるＧＯＰ番号、ピクチャ数、バイト数、開始アドレス及び終了アドレスを用いて、受け取ったコンテンツを縮小して、縮小コンテンツを生成し、生成した縮小コンテンツをエンコードし、さらに、受け取った暗号鍵を用いて、暗号化して、コンテンツファイルを生成する。具体的には、エンコード部２０７は、（ａ）復号デコード部２０５から受け取った生成した複数枚のピクチャのそれぞれを一定の比率で縮小して複数枚の縮小ピクチャを生成し、（ｂ）生成した複数枚の縮小ピクチャについて、再度、例えばＭＰＥＧ２によるエンコードを施して、符号化ピクチャを生成する。エンコード部２０７は、復号デコード部２０５から受け取った各複数枚のピクチャについて、上記の（ａ）〜（ｂ）を、繰り返す。
次に、生成したコンテンツファイルを、通信部２０９、インターネット１０、携帯電話網１１及び無線基地局１２を介して、ストリーミングにより、携帯電話４００へ送信する。
（８）ＡＶ生成部２０６及びモニタ２５０
ＡＶ生成部２０６は、復号デコード部２０５からコンテンツを受け取り、受け取ったコンテンツを映像情報及び音声情報に分離し、さらにそれぞれ、映像信号及び音声信号に変換し、生成した映像信号及び音声信号をモニタ２５０へ出力する。
モニタ２５０は、映像信号及び音声信号を受け取り、受け取った映像信号に基づいて映像を表示し、また、受け取った音声信号に基づいて、音声を出力する。
１．５  無線ＬＡＮ中継装置１３
無線ＬＡＮ中継装置１３は、ケーブルによりホームサーバ装置２００と接続され、また、ＩＥＥＥ８０２．１１ｂに対応し、実効帯域３〜５Ｍｂｐｓの通信速度により、２．４ＧＨｚ帯の無線を用いて、パーソナルコンピュータ３００と通信する。これにより、ホームサーバ装置２００とパーソナルコンピュータ３００との間の通信を中継する。
１．６  パーソナルコンピュータ３００
パーソナルコンピュータ３００は、図７に機能ブロック図を示すように、アンテナ３０１、無線通信部３０２、通信制御部３０３、認証部３０４、情報記憶部３０５、制御部３０６、デコード部３０７、ＡＶ生成部３０８、スピーカ３０９、表示部３１０及び入力部３１１から構成されている。
パーソナルコンピュータ３００は、具体的には、マイクロプロセッサ、ＲＯＭ、ＲＡＭ、ハードディスクユニット、液晶ディスプレィユニット、キーボード、無線通信ユニットなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、パーソナルコンピュータ３００は、その一部の機能を達成する。
（１）情報記憶部３０５
情報記憶部３０５は、予め、無線ＬＡＮ中継装置１３を介した、ホームサーバ装置２００とパーソナルコンピュータ３００との間の通信の限界帯域を記憶している。
（２）アンテナ３０１、無線通信部３０２及び通信制御部３０３
アンテナ３０１、無線通信部３０２、通信制御部３０３は、無線ＬＡＮ中継装置１３との間で、２．４ＧＨｚの周波数帯域を用いて無線により情報の送受信を行う。
無線通信部３０２は、信号をアンテナ３０１を介して送信し受信する送受信部と、信号を変調し復調する変復調部とを含み、通信制御部３０３は、無線通信部３０２との間で入出力する各種の信号の処理をする。
また、通信制御部３０３は、無線ＬＡＮ中継装置１３との間で、短距離無線通信における通信チャネルを確立し、その後確立した通信チャネルを介して、通信を行う。
（３）認証部３０４
認証部３０４は、制御部３０６と外部の装置との間の通信に先立って、外部の装置との間で相互の機器認証を行う。なお、相互の機器認証については、公知であるので、ここでは、説明を省略する。
機器認証に成功すると、認証部３０４は、制御部３０６に対して、外部の装置との間の通信を許可する。機器認証に失敗すると、制御部３０６に対して、外部の装置との間の通信を禁止する。
ここで、前記外部の装置とは、ホームサーバ装置２００である。
（４）制御部３０６
制御部３０６は、情報記憶部３０５から限界帯域を読み出す。
次に、制御部３０６は、入力部３１１から目次ファイルを送信する旨の要求を受け取り、前記要求を、通信制御部３０３、無線通信部３０２、アンテナ３０１及び無線ＬＡＮ中継装置１３を介して、ホームサーバ装置２００へ送信する。
次に、制御部３０６は、ホームサーバ装置２００から、無線ＬＡＮ中継装置１３、アンテナ３０１、無線通信部３０２及び通信制御部３０３を介して、目次ファイルを受け取り、目次ファイルに含まれる目次情報のうち、暗号鍵が含まれないものを抽出し、さらに、抽出した目次情報のうち、抽出した目次情報に含まれるビットレート１又はビットレート２が読み出した前記限界帯域を超えないものを抽出する。こうして抽出された目次情報から構成される端末側目次ファイルを生成する。
例えば、使用しているホーム・ネットワークの帯域として、３Ｍｂｐｓが限界であるとすれば、ビットレートの項目が３Ｍｂｐｓ以下のものを選択する。図４に示す例の場合には、コンテンツ番号「１」、「３」及び「４」のコンテンツが選択される。なぜなら、コンテンツ番号「１」のビットレート２は、「１．５Ｍｂｐｓ」であり、コンテンツ番号「３」のビットレート２は、「２５Ｍｂｐｓ」であり、コンテンツ番号「４」のビットレート１は、「１．５Ｍｂｐｓ」であるから。
こうして受信した目次ファイルからコンテンツ一覧として表示するコンテンツを選択する。
上記においては、限界帯域、つまりビットレートを利用しているが、目次ファイル内に記録されている圧縮方式を利用してもよい。例えば、パーソナルコンピュータ３００が、ＭＰＥＧ４方式のみに対応した機器であれば、圧縮方式の項目にＭＰＥＧ４と記述されているコンテンツのみを選択する。
図４に示す例であれば、コンテンツ番号「１」のコンテンツ「７時のニュース」とコンテンツ番号「４」のコンテンツ「プロ野球」のみが選択される。
次に、制御部３０６は、生成した端末側目次ファイルに含まれる各目次情報から、コンテンツ番号及びコンテンツ名を抽出して、コンテンツ一覧を生成し、生成したコンテンツ一覧を表示部３１０へ出力し、表示部３１０に対してコンテンツ一覧を表示するように制御する。
次に、制御部３０６は、利用者が選択したコンテンツを識別するコンテンツ番号を入力部３１１から受け取り、端末側目次ファイルから受け取ったコンテンツ番号を含む目次情報を抽出する。抽出した目次情報に、ファイル名１及びファイル名２の両方が記述されている場合には、ビットレート１とビットレート２のうち、前記限界帯域を超えないものを選択し、選択したビットレートに対応するファイル名を抽出する。抽出した目次情報に、ファイル名１のみが記述されている場合には、ビットレート１が前記限界帯域を超えない場合に、ファイル名１をファイル名として抽出する。こうしてファイル名が抽出された場合に、制御部３０６は、抽出したファイル名を、通信制御部３０３、無線通信部３０２、アンテナ３０１及び無線ＬＡＮ中継装置１３を介して、ホームサーバ装置２００へ送信する。
（４）デコード部３０７
デコード部３０７は、ホームサーバ装置２００から、無線ＬＡＮ中継装置１３、アンテナ３０１、無線通信部３０２及び通信制御部３０３を介して、ストリーミングにより、コンテンツファイルを受け取り、受け取ったコンテンツファイルをデコードしてコンテンツを生成し、生成したコンテンツをＡＶ生成部３０８へ出力する。
（５）ＡＶ生成部３０８
ＡＶ生成部３０８は、デコード部３０７からコンテンツを受け取り、受け取ったコンテンツを映像情報及び音声情報に分離し、さらにそれぞれ、映像信号及び音声信号に変換し、生成した映像信号及び音声信号をそれぞれ表示部３１０及びスピーカ３０９へ出力する。
（６）スピーカ３０９、表示部３１０及び入力部３１１
表示部３１０は、映像信号を受け取り、受け取った映像信号に基づいて映像を表示する。また、表示部３１０は、制御部３０６の制御の基に、各種情報を表示する。
スピーカ３０９は、音声信号を受け取り、受け取った音声信号に基づいて、音声を出力する。
入力部３１１は、パーソナルコンピュータ３００の利用者からの指示、又はデータの入力を受け付け、受け付けた指示又はデータを制御部３０６へ出力する。
１．７  携帯電話４００
携帯電話４００は、図８に示すように、アンテナ４０１、無線通信部４０２、通信制御部４０３、認証部４０４、情報記憶部４０５、制御部４０６、デコード部４０７、ＡＶ生成部４０８、スピーカ４０９、表示部４１０、入力部４１１及びマイク４１３から構成されている。
携帯電話４００は、具体的には、マイクロプロセッサ、信号処理プロセッサ、ＲＯＭ、ＲＡＭなどを含んで構成されるコンピュータシステムである。前記ＲＡＭには、コンピュータプログラムが記憶されている。前記マイクロプロセッサ及び信号処理プロセッサが、前記コンピュータプログラムに従って動作することにより、携帯電話４００は、その一部の機能を達成する。
（１）情報記憶部４０５
情報記憶部４０５は、予め、機器タイプを記憶している。
機器タイプは、上述したように、携帯電話４００が、携帯電話網を介して無線通信を行う携帯電話であることを示している。
（２）アンテナ４０１、無線通信部４０２及び通信制御部４０３
アンテナ４０１、無線通信部４０２及び通信制御部４０３は、無線基地局１２及び携帯電話網１１を介して、接続された相手の装置との間で、音声及びその他の情報の送受信を行う。
無線通信部４０２は、受信部と送信部とから構成されている。受信部は、高周波増幅器、受信ミキサ、ＩＦ増幅器、復調器などから構成され、アンテナ４０１により受信した信号を増幅し、復調する。送信部は、送信電力増幅器、送信ミキサ、変調器などから構成され、ベースバンド信号により高周波信号を変調し、無線周波数に変換し、増幅し、アンテナ４０１により出力する。通信制御部４０３は、ベースバンド部を含み、無線通信部４０２との間で入出力する各種の信号の処理を行う。
（３）認証部４０４
認証部４０４は、制御部４０６と外部の装置との間の通信に先立って、外部の装置との間で相互の機器認証を行う。なお、相互の機器認証については、公知であるので、ここでは、説明を省略する。
機器認証に成功すると、認証部４０４は、制御部４０６に対して、外部の装置との間の通信を許可する。機器認証に失敗すると、制御部４０６に対して、外部の装置との間の通信を禁止する。
ここで、前記外部の装置とは、ホームサーバ装置２００及び管理サーバ装置１００である。
（４）制御部４０６
制御部４０６は、携帯電話網１１を介して通信を行う際の限界帯域を記憶している。
制御部４０６は、利用者の操作により入力部４１１から目次ファイルを送信する旨の要求を受け取り、前記要求を、通信制御部４０３、無線通信部４０２、アンテナ４０１、無線基地局１２、携帯電話網１１及びインターネット１０を介して、ホームサーバ装置２００へ送信する。
次に、制御部４０６は、ホームサーバ装置２００から、インターネット１０、携帯電話網１１、無線基地局１２、アンテナ４０１、無線通信部４０２及び通信制御部４０３を介して、目次ファイルを受け取る。次に、目次ファイルに含まれる目次情報のうち、目次情報に含まれるビットレート１が、読み出した限界帯域を超えないものを抽出する。こうして抽出された目次情報から構成される端末側目次ファイルを生成する。
具体的には、制御部４０６は、受信した目次ファイル内に記録されているビットレート１及び圧縮情報ファイル名の項目を利用する。
例えば、使用しているネットワークの帯域として３Ｍｂｐｓが限界であるとすれば、ビットレート１の項目が３Ｍｂｐｓ以下のものを選択する。図４に示す例の場合には、コンテンツ番号「８」のコンテンツ「プロ野球２」とコンテンツ番号「９」のコンテンツ「洋画劇場」の二つのコンテンツが選択される。これらのビットレート１は、それぞれ、「１．５Ｍｂｐｓ」だからである。制御部４０６は、ビットレート１によるコンテンツの選択に加えて、さらに、圧縮情報ファイルが存在するコンテンツも選択する。図４に示す例の場合には、コンテンツ番号「１」のコンテンツ「９時のニュース」とコンテンツ番号「７」のコンテンツ「連続ドラマ２」が選択される。これらの圧縮情報ファイル名が記述されているからである。なお、コンテンツ番号「９」のコンテンツ「洋画劇場」は両方の条件を満たすために、当然ながら選択される。
このようにビットレートが使用しているネットワークの帯域を越す場合でも、圧縮情報ファイルが存在すれば一覧に表示するコンテンツとして選択するのは、当該コンテンツを復号化及びデコードし、更に再エンコードすることによってビットレートの条件を満たすコンテンツデータを再度作成することが可能だからである。この際のデコード及び再エンコードを円滑に進めるために圧縮情報ファイルは利用される。
次に、制御部４０６は、生成された端末側目次ファイルに含まれる各目次情報から、コンテンツ番号及びコンテンツ名を抽出して、コンテンツ一覧を生成し、生成したコンテンツ一覧を表示部４１０へ出力し、表示部４１０に対してコンテンツ一覧を表示するように制御する。
次に、制御部４０６は、利用者が選択したコンテンツを識別するコンテンツ番号を入力部４１１から受け取り、端末側目次ファイルから受け取ったコンテンツ番号を含む目次情報を抽出し、抽出した目次情報からファイル名１を抽出する。
制御部４０６は、受け取ったコンテンツ番号を、通信制御部４０３、無線通信部４０２、アンテナ４０１、無線基地局１２、携帯電話網１１及びインターネット１０を介して、管理サーバ装置１００へ送信する。
また、制御部４０６は、情報記憶部４０５から機器タイプを読み出し、読み出した機器タイプ及び抽出したファイル名１を、通信制御部４０３、無線通信部４０２、アンテナ４０１、無線基地局１２、携帯電話網１１及びインターネット１０を介して、ホームサーバ装置２００へ送信する。
（４）デコード部４０７
デコード部４０７は、管理サーバ装置１００から、インターネット１０、携帯電話網１１、無線基地局１２、アンテナ４０１、無線通信部４０２及び通信制御部４０３を介して、暗号鍵を受け取り、ホームサーバ装置２００から、インターネット１０、携帯電話網１１、無線基地局１２、アンテナ４０１、無線通信部４０２及び通信制御部４０３を介して、コンテンツファイルを受け取る。
デコード部４０７は、受け取った暗号鍵を用いて、コンテンツファイルを復号して、復号コンテンツを生成し、生成した復号コンテンツをデコードしてコンテンツを生成し、生成したコンテンツをＡＶ生成部４０８へ出力する。
（５）ＡＶ生成部４０８
ＡＶ生成部４０８は、デコード部４０７からコンテンツを受け取り、受け取ったコンテンツを映像情報及び音声情報に分離し、さらにそれぞれ、映像信号及び音声信号に変換し、生成した映像信号及び音声信号を表示部４１０及びスピーカ４０９へ出力する。
（６）スピーカ４０９、表示部４１０及び入力部４１１
表示部４１０は、映像信号を受け取り、受け取った映像信号に基づいて映像を表示する。また、表示部４１０は、制御部４０６の制御の基に各種情報を表示する。
スピーカ４０９は、音声信号を受け取り、受け取った音声信号に基づいて、音声を出力する。
入力部４１１は、携帯電話４００の利用者からの指示、又はデータの入力を受け付け、受け付けた指示又はデータを制御部４０６へ出力する。
２．コンテンツ再生システム１の動作
コンテンツ再生システム１の動作について、ホームサーバ装置２００によるコンテンツの再生、パーソナルコンピュータ３００によるコンテンツの再生及び携帯電話４００によるコンテンツの再生に分けて、説明する。
（１）ホームサーバ装置２００によるコンテンツの再生の動作
ホームサーバ装置２００によるコンテンツの再生の動作について、図９に示すフローチャートを用いて説明する。
ホームサーバ装置２００の制御部２０４は、リモコン２６０から、入力受付部２０２を介して、コンテンツの一覧を表示する旨の要求を受け取り（ステップＳ１０１）、ＤＶＤ２７０から、目次ファイル２７３を読み出し（ステップＳ１０２）、コンテンツ一覧を生成し（ステップＳ１０３）、表示部２０３は、コンテンツ一覧を表示する（ステップＳ１０４）。
次に、制御部２０４は、リモコン２６０から、入力受付部２０２を介して、コンテンツ一覧内のコンテンツ番号を受け取る（ステップＳ１０５）。
さらに、制御部２０４は、受け取ったコンテンツ番号に対応付けて暗号鍵が、目次ファイル２７３に格納されているか否かを判断し、暗号鍵が格納されていると判断する場合には（ステップＳ１０６）、当該暗号鍵を読み出し（ステップＳ１０７）、復号デコード部２０５は、前記暗号鍵を用いて、読み出したコンテンツファイルを復号して復号コンテンツを生成し、さらにデコードしてコンテンツを生成し（ステップＳ１０８）、ＡＶ生成部２０６は、コンテンツから映像信号及び音声信号を生成し、モニタ２５０は、映像を表示し、音声を出力する（ステップＳ１０９）。
制御部２０４が暗号鍵が格納されていないと判断する場合には（ステップＳ１０６）、ＡＶ生成部２０６は、コンテンツから映像信号及び音声信号を生成し、モニタ２５０は、映像を表示し、音声を出力する（ステップＳ１０９）。
（２）パーソナルコンピュータ３００によるコンテンツの再生の動作
パーソナルコンピュータ３００によるコンテンツの再生の動作について、図１０に示すフローチャートを用いて説明する。
ホームサーバ装置２００の認証部２０８と、パーソナルコンピュータ３００の認証部３０４とは、相互に機器認証を行う（ステップＳ２０１）。
機器認証に失敗すると（ステップＳ２０２、ステップＳ２０３）、ホームサーバ装置２００及びパーソナルコンピュータ３００は、以降の処理を中止する。
機器認証に成功すると（ステップＳ２０２、ステップＳ２０３）、制御部３０６は、入力部３１１から目次ファイルを送信する旨の要求を受け取り（ステップＳ２０４）、前記要求を、通信制御部３０３、無線通信部３０２、アンテナ３０１及び無線ＬＡＮ中継装置１３を介して、ホームサーバ装置２００へ送信する（ステップＳ２０５）。
制御部２０４は、ＤＶＤ２７０から、ドライブ部２０１を介して、目次ファイル２７３を読み出し（ステップＳ２０６）、通信部２０９及び無線ＬＡＮ中継装置１３を介して、読み出した目次ファイルをパーソナルコンピュータ３００へ送信する（ステップＳ２０７）。
次に、制御部３０６は、受け取った目次ファイルを用いて、コンテンツ一覧を生成し（ステップＳ２０８）、表示部３１０は、コンテンツ一覧を表示し（ステップＳ２０９）、制御部３０６は、利用者が選択したコンテンツを識別するコンテンツ番号を入力部３１１から受け取り、受け取ったコンテンツ番号に対応するファイル名を目次ファイルから抽出し（ステップＳ２１０）、抽出したファイル名を、通信制御部３０３、無線通信部３０２、アンテナ３０１及び無線ＬＡＮ中継装置１３を介して、ホームサーバ装置２００へ送信する（ステップＳ２１１）。
制御部２０４は、ＤＶＤ２７０から、ドライブ部２０１を介して、受け取ったファイル名により識別されるコンテンツファイルを読み出し（ステップＳ２１２）、読み出したコンテンツファイルを、通信部２０９及び無線ＬＡＮ中継装置１３を介して、ストリーミングにより、パーソナルコンピュータ３００へ出力する（ステップＳ２１３）。
デコード部３０７は、ホームサーバ装置２００から、ストリーミングにより、コンテンツファイルを受け取り、コンテンツを生成し、ＡＶ生成部３０８は、映像信号及び音声信号を生成し、表示部３１０は、映像を表示し、スピーカ３０９は、音声を出力する（ステップＳ２１４）。
（３）携帯電話４００によるコンテンツの再生の動作
携帯電話４００によるコンテンツの再生の動作について、図１１〜図１３に示すフローチャートを用いて説明する。
ホームサーバ装置２００の認証部２０８と、携帯電話４００の認証部４０４とは、相互に機器認証を行う（ステップＳ３０１）。
機器認証に失敗すると（ステップＳ３０２、ステップＳ３０３）、ホームサーバ装置２００及び携帯電話４００は、以降の処理を中止する。
機器認証に成功すると（ステップＳ３０２、ステップＳ３０３）、制御部４０６は、利用者の操作により入力部４１１から目次ファイルを送信する旨の要求を受け取り（ステップＳ３０４）、前記要求を、通信制御部４０３、無線通信部４０２、アンテナ４０１、無線基地局１２、携帯電話網１１及びインターネット１０を介して、ホームサーバ装置２００へ送信する（ステップＳ３０５）。
次に、制御部２０４は、ＤＶＤ２７０から、ドライブ部２０１を介して、目次ファイル２７３を読み出し、読み出した目次ファイルに含まれる目次情報から、暗号鍵を含むものを抽出し（ステップＳ３０６）、抽出した目次情報を新たに目次ファイルとして、通信部２０９、インターネット１０、携帯電話網１１及び無線基地局１２を介して、携帯電話４００へ送信する（ステップＳ３０７）。
次に、制御部４０６は、受け取った目次ファイルを用いて、コンテンツ一覧を生成し（ステップＳ３０８）、表示部４１０は、コンテンツ一覧を表示する（ステップＳ３０９）。次に、制御部４０６は、利用者が選択したコンテンツを識別するコンテンツ番号を入力部４１１から受け取る（ステップＳ３１０）。
次に、管理サーバ装置１００の認証部１０６と、携帯電話４００の認証部４０４とは、相互に機器認証を行う（ステップＳ３１１）。
機器認証に失敗すると（ステップＳ３１２、ステップＳ３１３）、管理サーバ装置１００及び携帯電話４００は、以降の処理を中止する。
機器認証に成功すると（ステップＳ３１２、ステップＳ３１３）、制御部４０６は、受け取ったコンテンツ番号を、通信制御部４０３、無線通信部４０２、アンテナ４０１、無線基地局１２、携帯電話網１１及びインターネット１０を介して、管理サーバ装置１００へ送信する（ステップＳ３１４）。
制御部１０４は、受信したコンテンツ番号に対応する暗号鍵をコンテンツ特徴情報テーブル１２１から読み出し（ステップＳ３１５）、読み出した暗号鍵を、通信部１０５、インターネット１０、携帯電話網１１及び無線基地局１２を介して、携帯電話４００へ送信する（ステップＳ３１６）。
また、制御部４０６は、情報記憶部４０５から機器タイプを読み出し、読み出した機器タイプ及び抽出したファイル名１を、通信制御部４０３、無線通信部４０２、アンテナ４０１、無線基地局１２、携帯電話網１１及びインターネット１０を介して、ホームサーバ装置２００へ送信する（ステップＳ３１７）。
制御部２０４は、受け取った機器タイプを用いて、ネットワークの帯域判定を行い（ステップＳ３１８）、ビットレート１が限界帯域を超えない場合には（ステップＳ３１９）、ファイル名１により識別されるコンテンツファイルを読み出し（ステップＳ３２０）、読み出したコンテンツファイルを、通信部２０９、インターネット１０、携帯電話網１１及び無線基地局１２を介して、ストリーミングにより、携帯電話４００へ送信する（ステップＳ３２１）。
ビットレート１が限界帯域を超える場合には（ステップＳ３１９）、復号デコード部２０５は、ファイル名１により識別されるコンテンツファイルを読み出し（ステップＳ３２２）、受け取った暗号鍵を用いて、読み出したコンテンツファイルを復号して復号コンテンツを生成し、生成したコンテンツをデコードして、コンテンツを生成し（ステップＳ３２３）、エンコード部２０７は、受け取ったコンテンツを縮小して、縮小コンテンツを生成し（ステップＳ３２４）、生成した縮小コンテンツをエンコードし、さらに、暗号鍵を用いて、暗号化して、コンテンツファイルを生成し（ステップＳ３２５）、次に、生成したコンテンツファイルを、通信部２０９、インターネット１０、携帯電話網１１及び無線基地局１２を介して、ストリーミングにより、携帯電話４００へ送信する（ステップＳ３２６）。
デコード部４０７は、管理サーバ装置１００から受け取った暗号鍵を用いて、コンテンツファイルを復号し、デコードしてコンテンツを生成し、ＡＶ生成部４０８は、映像信号及び音声信号を生成し、表示部４１０は、映像を表示し、スピーカ４０９は、音声を出力する（ステップＳ３２７）。
３．まとめ
以上説明したように、本発明によれば、ホーム・サーバ機器に接続された表示装置にて直接再生を行う場合には、高ビットレートで圧縮された高品質なコンテンツを再生することが可能な一方で、ホーム・ネットワークにて接続されたクライアント機器にて再生を行う場合には、ホーム・ネットワークの帯域でも遅滞なく送信可能な低ビットレートのコンテンツをストリーミングによって送信することによって問題なく再生を行うことが可能となる。
４．その他の変形例
なお、本発明を上記の実施の形態に基づいて説明してきたが、本発明は、上記の実施の形態に限定されないのはもちろんである。以下のような場合も本発明に含まれる。
（１）上記の実施の形態において、コンテンツ及び目次ファイルなどは、ＤＶＤを代表とする光ディスクに格納されているとしているが、光ディスクメディアに限定されない。
コンテンツは、ホームサーバ装置２００に内蔵されているハードディスクに格納されているとしてもよい。コンテンツがデジタル放送により放送される場合には、コンテンツを受信し、受信したコンテンツを前記ハードディスクに記録して利用するとしてもよい。
（２）上記の実施の形態において、ＤＶＤに記録されている目次ファイルには、対象となるコンテンツの番号、名前、ファイル名、ビットレート、圧縮方式、暗号鍵、圧縮情報ファイル名が記録されているとしたが、これ以外のデータが格納されているとしてもよい。
また、上記の実施の形態では、圧縮情報ファイルには、ピクチャ数、バイト数、アドレスが記述されるとしたが、これ以外にも画像データの圧縮に対する複雑さに関する情報が記録されているとしてもよい。
（３）上記の実施の形態において、ホームサーバ装置２００からコンテンツを受信してパーソナルコンピュータ３００において再生する場合に、対象とするコンテンツから暗号化されたものを除いているが、これには、限定されない。
パーソナルコンピュータ３００は、暗号化されたコンテンツを暗号鍵を用いて復号するとしてもよい。
また、ホームサーバ装置２００からパーソナルコンピュータ３００へコンテンツを送信する際に、著作権保護の観点から、全てのコンテンツを暗号化して送信するとしてもよい。このとき、パーソナルコンピュータ３００は、全ての暗号化されたコンテンツについて、復号する。
このとき、ホームサーバ装置２００は、パーソナルコンピュータ３００へ暗号鍵を安全に送付する。例えば、ホームサーバ装置２００は、パーソナルコンピュータ３００の公開鍵暗号方式による公開鍵を事前に取得しておき、公開鍵を用いて、暗号鍵を暗号化し、暗号化された暗号鍵をパーソナルコンピュータ３００へ送信する。パーソナルコンピュータ３００は、自身が秘密に保持し前記公開鍵と対応している秘密鍵を用いて、暗号化された暗号鍵を復号して、暗号鍵を生成し、生成した暗号鍵を用いる。
また、上記の実施の形態では、携帯電話４００は、管理サーバ装置１００から暗号鍵を取得するとしているが、上に述べたように、管理サーバ装置１００から暗号化された暗号鍵を取得するとしてもよい。
また、上記の実施の形態では、携帯電話４００は、管理サーバ装置１００から暗号鍵を取得するとしているが、上に述べたように、ホームサーバ装置２００から暗号鍵を安全に取得するとしてもよい。
（４）上記の実施の形態ではホームサーバ装置２００とパーソナルコンピュータ３００との間ではＴＣＰ／ＩＰなどの通信プロトコルを利用して通信を行うとしたが、著作権保護の観点からこれに加えてＳＳＬなどのＳＡＣ（Ｓｅｃｕｒｅ  Ａｕｔｈｅｎｔｉｃａｔｅｄ  Ｃｈａｎｎｅｌ）を利用してもよい。
こうすることによって、価値のあるコンテンツがネットワーク経路上で盗聴されたり改竄されたりすることを防止することが可能となる。さらにＳＡＣにおける機器認証の機能を用いて、ホーム・ネットワーク内のクライアント機器だけに限定してコンテンツを送信することも可能となる。
同様に、上記の実施の形態では、携帯電話４００と管理サーバ装置１００との間で、ＴＣＰ／ＩＰなどの通信プロトコルを利用して通信を行うとしたが、著作権保護の観点からこれに加えてＳＳＬなどのＳＡＣを利用してもよい。
こうすることによって、クレジットカード番号など購入のために必要な情報やコンテンツの復号鍵などの重要な情報がネットワーク経路上で盗聴されたり改竄されたりすることを防止することが可能である。さらに、ＳＡＣにおける機器認証の機能を用いて、特定の携帯電話４００だけに限定して復号鍵を送信してもよい。
（５）上記の実施の形態においては、圧縮情報ファイルはコンテンツデータとは別に記録されるとしているが、同一ファイル内に格納される形態でもよい。
（６）上記の実施の形態では、管理サーバ装置１００に対して暗号鍵を要求するときに、管理サーバ装置１００は、無条件に暗号鍵を返信するとしているが、暗号鍵の送信の要求に応じて、送信する暗号鍵に対応するコンテンツに応じた課金処理などを行ってもよい。
また、コンテンツの利用権利を管理サーバ装置１００で管理する形式のコンテンツ配信システムであれば、暗号鍵の送信の要求時にユーザ認証や要求元クライアント機器の機器認証を行い、認証に成功した場合に、該当するユーザや機器に対して付与されている利用権利に従って暗号鍵を返信してもよい。
こうすることによって、不正な機器やユーザを排除することや、コンテンツの利用権利の未購入のユーザによる使用を排除することが可能となる。
（７）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（８）上記実施の形態及び上記変形例をそれぞれ組み合わせるとしてもよい。
４．発明の効果
以上説明したように、本発明は、ネットワークにより相互に接続されているサーバ装置と再生装置とから構成されるコンテンツ配信システムである。前記サーバ装置は、自装置又は前記再生装置におけるコンテンツの再生を示す再生要求を受け付ける受付手段と、前記再生要求により示されるコンテンツの再生が、自装置における再生か、又はネットワークにより接続された前記再生装置における再生かを判断する判断手段と、自装置における再生であると判断する場合に、前記コンテンツを高品質により符号化した高品質データを取得し、前記再生装置における再生であると判断する場合に、前記コンテンツを標準品質により符号化した標準品質データを取得する取得手段と、前記自装置における再生であると判断する場合に、取得した前記高品質データを再生する第１再生手段と、前記再生装置における再生であると判断する場合に、取得した前記標準品質データをネットワークを介して送信する送信手段とを備える。前記再生装置は、前記標準品質データを受信する受信手段と、受信した前記標準品質データをデコードし、再生する第２再生手段とを備える。
この構成によると、再生要求により示されるコンテンツの再生が、自装置における再生か、又はネットワークにより接続された前記再生装置における再生かを判断し、再生装置における再生であると判断する場合に、ネットワークに接続されている再生装置に対して、コンテンツを標準品質により符号化した標準品質データを送信するので、ネットワークを介して遅滞なくコンテンツを送信することができる。
また、前記取得手段は、前記コンテンツをそれぞれ標準品質及び高品質により符号化した標準品質データ及び高品質データを記憶している記憶媒体と、自装置における再生であると判断する場合に、前記記憶媒体から前記高品質データを読み出し、前記再生装置における再生であると判断する場合に、前記記憶媒体から前記標準品質データを読み出す読出部とを含む。
この構成によると、記憶媒体は、標準品質データ及び高品質データを記憶しているので、サーバ装置は、確実に標準品質データを取得することができる。
また、前記記憶媒体に記憶されている前記標準品質データは、前記コンテンツを標準品質により符号化し、さらに、暗号化して生成されており、前記再生装置は、前記標準品質データを復号する。
この構成によると、標準品質データは、コンテンツが暗号化されて生成されており、再生装置は、標準品質データを復号するので、コンテンツの送信における安全性を確保できる。
また、前記取得手段は、前記コンテンツを高品質により符号化した高品質データを記憶している記憶媒体と、自装置における再生であると判断する場合に、前記記憶媒体から前記高品質データを読み出し、前記再生装置における再生であると判断する場合に、前記記憶媒体から前記高品質データを読み出し、読み出した前記高品質データに基づいて、標準品質により符号化した標準品質データを生成する読出生成部とを含む。
この構成によると、サーバ装置は、高品質データから標準品質データを生成するので、確実に標準品質データを取得することができる。
また、前記取得手段は、前記コンテンツを高品質により符号化した高品質データと、前記高品質データの符号化に係る圧縮情報とを記憶している記憶媒体と、自装置における再生であると判断する場合に、前記記憶媒体から前記高品質データを読み出し、前記再生装置における再生であると判断する場合に、前記記憶媒体から前記高品質データ及び前記圧縮情報を読み出し、読み出した前記高品質データに基づいて、前記圧縮情報を用いて、標準品質により符号化した標準品質データを生成する読出生成部とを含む。
この構成によると、サーバ装置は、圧縮情報を用いて、高品質データから標準品質データを生成するので、標準品質データの生成が容易である。
【産業上の利用の可能性】
本発明は、記録媒体に記録されている音楽、映画、小説などがデジタル化された著作物を配信するサーバ装置や、パーソナルコンピュータ、携帯電話などのように著作物を再生する再生装置を製造し、販売する産業において、経営的、つまり反復的かつ継続的に利用されうる。
【図１】
2004023812.tif 000003
【図２】
2004023812.tif 000004
【図３】
2004023812.tif 000005
【図４】
2004023812.tif 000006
【図５】
2004023812.tif 000007
【図６】
2004023812.tif 000008
【図７】
2004023812.tif 000009
【図８】
2004023812.tif 000010
【図９】
2004023812.tif 000011
【図１０】
2004023812.tif 000012
【図１１】
2004023812.tif 000013
【図１２】
2004023812.tif 000014
【図１３】
2004023812.tif 000015
【国際調査報告】
2004023812.tif 000016
2004023812.tif 000017